(57)【要約】      （修正有）【課題】防滑性に優れると共に、包丁痕が残りにくいまな板を提供する。【解決手段】防滑まな板は、積層断面の中央部分に、中間層を有し、中間層の上下両側は、それぞれ、弾性があり、靭性が高いＰＰ材質でなる防護層を接合し、また、防護層は、それぞれ外側に表面層を接合し、表面層は、緻密性がよく、密合性が高いＴＰＥの熱可塑性弾性体からなる。【選択図】図２
0003162145.tif 000002
【実用新案登録請求の範囲】
【請求項１】
積層体からなる防滑まな板構造であって、積層体の断面の中央部分に印刷面を有する中間層を有し、前記中間層の上下両側に、それぞれ、防護層を接合し、前記防護層は環境に優しいPP材質（ポリプロピレン系ポリマー）からなり、前記材質は弾性を有し、靭性が高く、又、前記上下二層の防護層の、それぞれ、外側に食材を切るための調理面を有する表面層を接合し、前記表面層は、TPE材質（熱可塑性エラストマー）の熱可塑性弾性体からなることを特徴とする防滑まな板構造。
【請求項２】
前記印刷面を有する中間層は、転写、塗布により各種パターンを有してなることを特徴とする請求項１に記載の防滑まな板構造。
【考案の詳細な説明】
【技術分野】
【０００１】
本考案は、まな板構造に関するものであって、さらに詳しくは、包丁、ナイフ等の刃部が接する表面層がTPE材質（熱可塑性エラストマー）からなり、防滑効果に優れ、包丁痕が残りにくく、また変形しにくいまな板に関するものである。
【背景技術】
【０００２】
公知の薄型のまな板は、図４、図５で示されるように、まな板２０は、PE（ポリエチレン）、及びEVA（エチレン−酢酸ビニル共重合体）材質で薄い片体を形成し、湾曲可能で、使用と収納が容易である。一側面は霧面処理を施し、調理面２１を形成して、食材に対する防滑効果を達成し、他の面は、紋様処理を施して、防滑面２２を形成し、まな板２０の調理台上での防滑効果を達成する。
【０００３】
公知のまな板２０の構造は、PEとEVA材質で薄型の片体を形成し、且つ、調理面２１は霧面処理だけを施して、防滑効果を達成し、包丁などの器具に対する耐表面維持性がなく、まな板２０には、明らかな包丁痕が残りやすい。また、まな板２０が変形して、料理台上に平坦に戴置できなくなる。防滑面２２も、紋様処理しかないので、食材の処理時に、調理台上に水分が存在すると、防滑面２２が防滑効果を効果的に達成することができず、使用上の実用性を低下させるという問題がある。
【０００４】
かかる状況下において、まな板については多数の提案があり、例えば、滑りにくいまな板として、例えば、特開２００２−２８２１４１（以下、「特許文献１」という。）には、まな板本体の裏面側に熱可塑性エラストマーを接合することが開示されている。しかし、かかる特許文献１には、まな板本体には超高分子量ポリエチレンを使用することが開示されているが、積層体とすることにより、刃傷の形成防止、防滑性、変形防止の効果を得ることについては開示がない。
【特許文献１】特開２００２−２８２１４１号公報
【考案の開示】
【考案が解決しようとする課題】
【０００５】
従って、本考案の課題は、調理台に対して好ましい防滑性を有し、かつ包丁痕が残りにくく、また変形しにくい防滑まな板構造を提供することにある。
【課題を解決するための手段】
【０００６】
そこで、本考案者は、前記の本考案の課題を解決するために鋭意検討を重ねた結果、印刷面を有する中間層の両側に防護層を接合し、さらにその外側に接合させた調理面を有する表面層からなる積層体とすることにより、前記課題を解決できることを見い出し、かかる知見に基いて本考案を想到するに至った。
【０００７】
すなわち、本考案の防滑まな板は、積層体断面の中央部分に、印刷面を有する中間層を有し、中間層の上下両側は、それぞれ、環境に配慮したポリオレフィン系ポリマー（以下、「PP」という。）材質からなる防護層を接合したものである。該材質は弾性があり、靭性が高いものが選択される。また、二層の防護層は、それぞれ、外側に、調理面を有する表面層を接合し、表面層は、環境保全効果のあるTPEの熱可塑性弾性体からなり、該材質は緻密性がよく、密合性が高く、弾性回復力を有するものである。
【０００８】
かくして、本考案によれば、
請求項１において、積層体からなる防滑まな板構造であって、積層体の断面の中央部分に印刷面を有する中間層を有し、前記中間層の上下両側に、それぞれ、防護層を接合し、前記防護層は環境に優しいPP材質（ポリプロピレン系ポリマー）からなり、前記材質は弾性を有し、靭性が高く、又、前記上下二層の防護層の、それぞれ、外側に食材を切るための調理面を有する表面層を接合し、前記表面層は、TPE材質（熱可塑性エラストマー）の熱可塑性弾性体からなることを特徴とする防滑まな板構造が提供される。
【０００９】
請求項２に係る考案によれば、前記印刷面を有する中間層は、転写、塗布により各種パターンを有してなることを特徴とする請求項１に記載の防滑まな板構造が提供される。
【考案の効果】
【００１０】
本考案のまな板は、防滑効果に優れ、包丁痕が残りにくく、また変形しにくいという顕著な効果を奏する。
【図面の簡単な説明】
【００１１】
【図１】本考案の一実施形態によるまな板の斜視図である。
【図２】本考案の一実施形態によるまな板の断面図である。
【図３】本考案の一実施形態によるまな板の使用状態図である。
【図４】公知のまな板の斜視図である。
【図５】公知のまな板の断面図である。
【考案を実施するための最良の形態】
【００１２】
本考案に係るまな板は、断面構造において、中央部に印刷面を有する中間層（ベース層）を有し、その上下に防護層を接合し、該防護層の外側にそれぞれ調理面を有する表面層を接合することにより構成される積層体である。
【００１３】
前記中間層は、本考案に係るまな板のベース層であって、印刷面を有するものであり、印刷面に転写、塗布等により印刷可能な材質のものであればよい。
【００１４】
防護層は、光透過性を有するPP材質であり、ポリオレフィン系ポリマー、好ましくはポリプロピレンを挙げることができる。PP材質は弾性を有し、靱性にも優れたものを選択することができる。
【００１５】
表面層は、食材を包丁、ナイフ等で切るための調理面を有するものであり、TPE材質、すなわち、熱可塑性エラストマー、好ましくはPEN、PET、テフロン（登録商標）等の熱可塑性エラストマーを挙げることができる。かかる材質を採用することにより、包丁等の刃部との接触により形成される包丁痕を防止することができる。
【００１６】
かかる各層の接合は、任意の方法で行なうことができ、また、各厚さについても任意に決定することができる。
【００１７】
図１、図２は、本考案の防滑まな板を示す図で、まな板１０中央部分は、印刷面を有する中間（以下、「中間層」という。）層１１を有し、中間層１１は転写、塗布により各種パターンを有する。中間層１１の上下両側は、それぞれ、環境に配慮したPP材質、例えば、ポリプロピレン等のポリオレフィン材質でなる防護層１２を接合する。この材質は弾性を有し、靭性が高いものが選択される。また、防護層１２は、それぞれ、外側に、食材を切るための調理面を有する表面（以下、「表面層」という。）層１３を接合し、表面層１３は、環境にやさしいTPE材質の熱可塑性弾性体からなる。この材質は、緻密性がよく、密合度が高く、弾性回復力を有する。更に、優れた防滑効果があり、食材を安定して、まな板１０上に放置することができ、また、まな板１０が台上で滑動を生じにくい。TPE材質は、加工過程で、臭いのある気体を発生せず、燃焼後に有毒気体を発生しないので、空気を汚染することがない。
【００１８】
図１、図２で示されるように、まな板１０は、野菜や肉、果物を処理する時に、調理台の上において使用し、台上に包丁痕が残るのを防止し、食材の衛生と安全性を確保する。まな板１０の表面層１３はTPE材質でなり、弾力を有するので、包丁が表面で滑動しても、痕は弾力により密合して消失し、包丁痕が表面に残りにくい。
【００１９】
図３で示されるように、まな板１０の防護層１２及び表面層１３は、それぞれ、環境に優しいPPとTPEからなり、まな板１０は好ましい防滑性を有し、また包丁痕が残りにくく、変形しにくいものであり、リサイクルすることも容易である。さらに、燃焼時に有毒気体を発生しないので、環境を汚染しないという利点もある。
【００２０】
上述のような構造により、本考案によれば、以下のような効果がある。すなわち、まな板１０の防護層１２、表面層１３は、それぞれ、PPとTPE材質からなり、表面層１３のTPE材質は熱可塑性弾性体であり、緻密性及び密合度が高く、弾性回復力がある。また、防滑効果に優れ、包丁痕が残りにくく、変形しにくいという効果を奏するものである。
【００２１】
本考案では好ましい実施例を前述の通り開示したが、これらにより決して本考案が限定されるものではない。
【符号の説明】
【００２２】
１０  まな板
１１  中間層
１２  防護層
１３  表面層
２０  まな板
２１  表面層
２２  防滑面
【図１】
0003162145.tif 000003
【図２】
0003162145.tif 000004
【図３】
0003162145.tif 000005
【図４】
0003162145.tif 000006
【図５】
0003162145.tif 000007